(57)【要約】【課題】所望の形状及び大きさの容器に放射性薬剤を移送するための放射性薬剤の移送装置を提供する。【解決手段】バイアル瓶３１を保持可能な第一載置台７１と、バイアル瓶３１と形状または容量の異なるマザーボトル１０を保持可能な第二載置台７４と、第二載置台７４にマザーボトル１０が保持されている場合、少なくともバイアル瓶３１の内部を減圧することによってバイアル瓶３１に収容されている放射性薬剤３の全量を直接または間接的にマザーボトル１０に移送するための真空ポンプ４と、により放射性薬剤の移送装置２を構成する。【選択図】図５
2020146456.tif 000002
【特許請求の範囲】
【請求項１】
第一容器を保持可能な第一保持部と、
前記第一容器と形状または容量の異なる第二容器を保持可能な第二保持部と、
前記第二保持部に前記第二容器が保持されている場合、少なくとも前記第一容器の内部を減圧することによって前記第一容器に収容されている放射性薬剤の全量を直接、または間接的に前記第二容器に移送するための移送機構と、
を備える、放射性薬剤の移送装置。
【請求項２】
前記第一保持部が複数の第一容器を保持可能であり、
前記移送機構が、複数の前記第一容器の少なくとも一つに収容されている放射性薬剤の全量を前記第二容器に移送する移送機構を備える、請求項１に記載の放射性薬剤の移送装置。
【請求項３】
複数の前記第一容器のそれぞれを直列に接続する第一輸液管と、当該第一輸液管に接続された複数の前記第一容器のうち、前記放射性薬剤の移送方向に沿う最下流に位置する前記第一容器と前記第二容器とを接続する第二輸液管と、をさらに備える、請求項２に記載の放射性薬剤の移送装置。
【請求項４】
前記第一輸液管は、前記第一容器の内部を密封している蓋体に穿刺される針体と接続され、
前記針体を前記蓋体に向かって上方から前記第一容器の内部にまで移動させる針体駆動部をさらに備える、請求項３に記載の放射性薬剤の移送装置。
【請求項５】
前記針体駆動部は、前記第一容器に収容されている前記放射性薬剤の全量が前記第二容器へ移送される間、前記針体の前記第一容器の内部に移動している部分を前記第一容器の内部に留める、請求項４に記載の放射性薬剤の移送装置。
【請求項６】
前記放射性薬剤の移送方向の最上流に位置する前記第一容器の内部に、複数の前記第一容器を洗浄する洗浄用液剤を注入する洗浄用液剤注入部をさらに備える、請求項４または５に記載の放射性薬剤の移送装置。
【請求項７】
前記針体は、前記第一容器に前記放射性薬剤の移送方向の上流側から前記放射性薬剤を供給する供給針体と、前記第一容器から前記移送方向の下流側に前記放射性薬剤を導出する導出針体と、を含み、前記洗浄用液剤の注入後、前記針体駆動部は、前記放射性薬剤の移送方向の最上流の前記第一容器から前記最上流よりも下流に位置する前記第一容器に向かい、時間間隔を空けて順番に前記導出針体を前記第一容器の底面に向けて移動させる、請求項６に記載の放射性薬剤の移送装置。
【請求項８】
前記供給針体は、前記第一容器に前記放射性薬剤の移送方向の上流側から前記洗浄用液剤を供給し、前記導出針体は、前記第一容器から前記移送方向の下流側に前記洗浄用液剤を導出し、前記針体駆動部は、少なくとも前記供給針体により前記洗浄用液剤が供給されている間、前記導出針体の前記洗浄用液剤の液面に向く先端を前記液面より上方に位置させる、請求項７に記載の放射性薬剤の移送装置。
【請求項９】
前記移送機構は、前記第一容器に収容されている放射性薬剤の全量を吸引する吸引機構と、前記吸引機構によって吸引された前記放射性薬剤を前記第二容器に吐出する吐出機構とを備える、請求項１から８のいずれか一項に記載の放射性薬剤の移送装置。
【請求項１０】
第一容器を保持可能な第一保持部と、前記第一容器と形状または容量の異なる第二容器を保持可能な第二保持部と、を備える放射性薬剤の移送装置において実行される放射性薬剤の移送方法であって、
前記第二保持部に前記第二容器が保持されている場合、少なくとも前記第一容器の内部を減圧することによって前記第一容器に収容されている放射性薬剤の全量を、直接または間接的に前記第二容器に移送するための移送工程を含む、放射性薬剤の移送方法。
【発明の詳細な説明】
【技術分野】
【０００１】
本発明は、放射性薬剤の移送装置及び放射性薬剤の移送方法に関する。
【背景技術】
【０００２】
現在、放射性薬剤を被術者に投与する投与装置には、複数回投与できる量の放射性薬剤を収容するマルチドーズのバイアルを収容するものがある。このような放射性薬剤投与装置では、バイアルから一人の被術者に投与する分量の放射性薬剤を分注して投与を行っている。このような投与装置は、複数回の投与の実行中にバイアルから放射性薬剤を抽出するための針を含む流路チューブ等をバイアルから取り外して交換する作業が不要である。この点は、放射性薬剤の投与の効率性を高めると共に、放射線をシールドする鉛等により遮蔽されている放射性薬剤の収容空間を操作者が開ける回数を低減して放射線被ばくの可能性を低減することに有利である。複数人分の放射性薬剤を分注して投与する放射性薬液投与装置は、例えば、特許文献１に記載されている。
【先行技術文献】
【特許文献】
【０００３】
【特許文献１】特開２００８−３０２０９２号公報
【発明の概要】
【発明が解決しようとする課題】
【０００４】
投与装置は、放射性薬剤を収容する収容容器の設置部が予め所定の形状及び大きさを有している。このため、マルチドーズの放射性薬剤用の投与装置においてシングルドーズの放射性薬剤を使用する場合、設置部の形状及び大きさに適合する別の容器に移し替える手間が生じる。収容容器の形状及び大きさはメーカーにより異なるため、異なるメーカーの放射性薬剤を使用する場合においても同様な問題が生じる。本発明は、所望の形状及び大きさの容器に放射性薬剤を容易に移送するための放射性薬剤の移送装置及び放射性薬剤の移送方法に関する。
【課題を解決するための手段】
【０００５】
本発明の放射性薬剤の移送装置は、第一容器を保持可能な第一保持部と、前記第一容器と形状または容量の異なる第二容器を保持可能な第二保持部と、前記第二保持部に前記第二容器が保持されている場合、少なくとも前記第一容器の内部を減圧することによって前記第一容器に収容されている放射性薬剤の全量を直接、または間接的に前記第二容器に移送するための移送機構と、を備える。
また、本発明の放射性薬剤の移送方法は、第一容器を保持可能な第一保持部と、前記第一容器と形状または容量の異なる第二容器を保持可能な第二保持部と、を備える放射性薬剤の移送装置において実行される放射性薬剤の移送方法であって、前記第二保持部に前記第二容器が保持されている場合、少なくとも前記第一容器の内部を減圧することによって前記第一容器に収容されている放射性薬剤の全量を、直接または間接的に前記第二容器に移送するための移送工程を含む。
【発明の効果】
【０００６】
本発明によれば、所望の形状及び大きさの容器に放射性薬剤を容易に移送することができるため、形状及び大きさの異なる種々の容器に収容された放射性薬剤が入手された場合であっても、所持する投与装置の設置部の形状及び大きさに合わせて使用することが可能になる。好ましくは、複数の容器に収容された放射性薬剤を一つの容器にまとめることができるので、所望の人数分の放射性薬剤を一つの容器に準備することができ、投与装置を取り扱う医療従事者の作業効率を向上させつつ、放射線被曝の機会を低減することが可能になる。また、使用後、または未使用の放射性薬剤においては、複数の収容容器を一つの容器にまとめることができるので、廃棄処理を容易にし、より少ないスペースでの保管が可能になる。
【図面の簡単な説明】
【０００７】
【図１】本発明の移送装置の概要を説明するための図である。
【図２】第一実施形態の移送装置を説明するための模式図である。
【図３】図１に示す針体、導出針体及び供給針体の動作を制御する構成を説明するための図である。
【図４】（ａ）はバイアル瓶において生理食塩水が供給されている状態を示す図である。（ｂ）は導出針体により生理食塩水をマザーボトルの側に導出している状態を示す図である。
【図５】第一実施形態の変形例の移送装置を説明するための図である。
【図６】第二実施形態の移送装置を説明するための模式図である。
【発明を実施するための形態】
【０００８】
以下、本発明の第一実施形態、第二実施形態を図面に基づいて説明する。なお、すべての図面において、同様の構成要素には同様の符号を付し、重複する説明は適宜省略する。
［概要］
図１は、第一実施形態、第二実施形態の説明に先立って、本発明の移送装置の概要を説明するための図である。なお、第一実施形態及び第二実施を合わせて、以降「本実施形態」とも記す。
本実施形態の放射性薬剤の移送装置（以下、単に「移送装置」とも記す）１は、複数の第一容器を保持可能な第一保持部と、第一容器と形状または容量の異なる第二容器を保持可能な第二保持部と、第二保持部に第二容器が保持されている場合、少なくとも第一容器の内部を減圧することによって複数の第一容器の少なくとも一つに収容されている放射性薬剤の全量を第二容器に移送するための移送機構と、を備えている。図１に示す本実施形態は、例えば、第二容器に適応した投与装置を使って投与するために、第一容器の少なくとも一つに収容されている放射性薬剤を第二容器に移送する例を示している。
【０００９】
本実施形態では、第一容器をバイアル瓶３１及びバイアル瓶３２とする。また、第二容器をマザーボトル１０とする。移送装置１は、バイアル瓶３１及びバイアル瓶３２を保持する第一載置台７１、７２、７３と、マザーボトル１０を保持する第二載置台７４とを備えている（図２）。バイアル瓶３１、３２とマザーボトル１０とは、形状と共に容量が相違しており、バイアル瓶３１、３２は、マザーボトル１０よりも容量が少ない容器に一人分から凡そ四、五人分の放射性薬剤を収容するものである。バイアル瓶３１、３２、３３は、シングルドーズに使用されるものであってもよいし、マルチドーズに使用されるものであってもよい。また、マザーボトル１０は、バイアル瓶３１、３２よりもさらに多人数分の放射性薬剤を収容可能な容器であって、マルチドーズを行うことに使用される。また、本実施形態では、真空ポンプ４が移送機構として機能する。
【００１０】
上記の「全量」は、未開封の状態のバイアル瓶３１等に収容されている放射性薬剤３の量の実質的な総量をいう。ここで、「実質的」とは、バイアル瓶３１から抽出可能であることを指し、バイアル瓶３１の内壁や底面に付着して抽出できないものを除くものであってもよい。また、特に本実施形態でいう全量は、少なくとも後述する放射性薬剤３の抽出によって抽出される放射性薬剤３の量であり、さらには後述するバイアル瓶３１等の洗浄により抽出される放射性薬剤３の量を含むものであってもよい。
【００１１】
バイアル瓶は、単数であっても複数であってもよく、次に説明する移送装置はバイアル瓶を複数備えている。ただし、本実施形態の移送装置は、後述するように単数のバイアル瓶を使って放射性薬剤を移送するものであってもよい。
図１に示すバイアル瓶３１、３２及びマザーボトル１０は、流路チューブ２０によって直列に接続されている。本実施形態でいう「直列」は、分岐路（バイアル瓶３１、３２及びマザーボトル１０に接続される支流路２０ａを除く）を持たない流路チューブ２０によりバイアル瓶３１、３２及びマザーボトル１０が一列に配置されるように接続されて直接または間接的に連通している状態を指す。このとき、流路チューブ２０の状態は、線状であってもよいし、環状等の始端と終端とが接続された形になっていてもよい。
また、「少なくともバイアル瓶３１、３２の内部を減圧する」とは、バイアル瓶３１、３２の内部の気圧を大気圧よりも低くすることをいい、本実施形態ではマザーボトル１０を減圧することによってマザーボトル１０と連通する流路チューブ２０によりバイアル瓶３１、３２の内部を間接的に減圧する。このような例は、マザーボトル１０及びバイアル瓶３１、３２の両方を減圧するものである。マザーボトル１０を減圧することにより、間接的に減圧されたバイアル瓶３１、３２内の放射性薬剤が順次マザーボトル１０の内部に移送される。
【００１２】
放射性薬剤の移送は、例えばバイアル瓶３２の内部を加圧状態にすることにより放射性薬剤をマザーボトル１０に向けて噴出させるようにすることによっても可能である。しかし、マザーボトル１０の内部を減圧して放射性薬剤を移送する本実施形態は、このような構成に比べて流路チューブ２０を含む移送の系統にリーク等があった場合、リーク箇所から放射性薬剤が噴出することをより確実に防ぐことができる。
マザーボトル１０内部の減圧は、例えば、マザーボトル１０に接続された真空ポンプ４によって行うことができる。
【００１３】
なお、図１に示す移送装置１は、バイアル瓶３１、３２のいずれか一方に放射性薬剤が収容されていれば使用可能であって、バイアル瓶３１、３２の両方に薬剤が収容されている状態で使用されることに限定されない。例えば、バイアル瓶３１を空の無菌バイアルとした場合、バイアル瓶３１からマザーボトル１０を流路チューブ２０により連通させて、バイアル瓶３２に収容されている放射性薬剤をマザーボトル１０に移し替えることができる。また、移送装置１のこのような動作は、空のバイアル瓶３１を用意せず、図１においてバイアル瓶３１に接続されている支流路２０ａを、より下流の流路チューブ２０にバイパスさせることによっても実現することができる。
【００１４】
［第一実施形態］
図２は、第一実施形態の移送装置１を説明するための模式図であって、移送装置１の縦断面を示している。図２に示す移送装置１では、二つのバイアル瓶３１、３２の他、バイアル瓶３３を直列に接続した例を示している。図２中に、放射性薬剤３の移送方向を矢線Ｔで示す。図２に示す移送装置１は、マザーボトル１０が遮蔽壁８０の内部に、また、バイアル瓶３１、３２、３３が遮蔽壁７０の内部に収容されている。遮蔽壁７０は、内部にバイアル瓶３１、３２、３３をそれぞれ保持する第一載置台７１、７２、７３を備えている。また、遮蔽壁８０は、内部にマザーボトル１０を保持する第二載置台７４を備えている。第一載置台７１、７２、７３及び第二載置台７４は、いずれもバイアル瓶３１、３２、３３またはマザーボトル１０を自在に固定及び取り外し可能な構成である。図２に示す移送装置１では、全ての第一載置台７１、７２、７３にバイアル瓶３１、３２、３３が各々固定されていて、第二載置台７４にマザーボトル１０が固定されている。また、図２に示す第一実施形態では、バイアル瓶３１、３２、３３に放射性薬剤３が収容されているものとする。
【００１５】
マザーボトル１０の内部には、ゴム栓１０１を挿通したバキュームチューブ１０２が挿入されている。遮蔽壁８０には、バキュームチューブ１０２を通す孔８１が形成されていて、バキュームチューブ１０２の内部を外部の真空ポンプ４により吸引される空気が通過する。バイアル瓶３１、３２、３３及びマザーボトル１０を遮蔽壁７０または遮蔽壁８０により遮蔽することにより、第一実施形態は、バイアル瓶３１、３２、３３及びマザーボトル１０内の放射性薬剤３から放出される放射線が外部に漏れることを防ぐことができる。
【００１６】
さらに、バイアル瓶３１、３２、３３は、各々が放射線の阻止能の高い材料で形成される遮蔽容器３１１、３２１、３３１の内部に収容されている。このような第一実施形態は、より確実にバイアル瓶３１、３２、３３からの放射線の漏れを防ぐことができる。遮蔽壁７０、８０、バイアル瓶３１、３２、３３の材料には、例えば、鉛（Ｐｂ）、あるいはタングステン（Ｗ）等の比較的分子量の大きなものが用いられる。
【００１７】
遮蔽壁７０の内部において、バイアル瓶３１、３２、３３が配置される側の面を床面７５とし、床面７５を囲んで立設される複数の面を周面７６とする。床面７５と対向する面を上面７７とする。なお、第一実施形態でいう「上下」は、重力方向に沿って定められる。つまり、第一実施形態では重力のベクトルの始端側を相対的に「上」、始端に対する終端側を「下」とする。
第一載置台７１、７２、７３は、床面７５に形成されている。バイアル瓶３１、３２、３３は、各々対応する第一載置台７１、７２、７３により斜めに固定されていて、いずれも一方向に（図２に示す例ではマザーボトル１０に向かう方向）傾いている。このため、バイアル瓶３１、３２、３３の内部の放射性薬剤３は、傾き方向の端部において深さが最も深くなる。
【００１８】
図２に示すように、移送装置１は、複数のバイアル瓶３１、３２、３３のそれぞれを直列に接続する第一輸液管である流路部２２及び流路部２３と、流路部２２、２３に接続されたバイアル瓶３１、３２、３３のうち、放射性薬剤３の移送方向に沿う最下流に位置するバイアル瓶３３とマザーボトル１０とを接続する流路部２４と、を備えている。
より具体的には、バイアル瓶３１には流路部２２の一端が挿入されていて、流路部２２の他端はバイアル瓶３２の内部に挿入されている。バイアル瓶３２には流路部２２の他端と共に流路部２３の一端が挿入され、流路部２３の他端がバイアル瓶３３の内部に挿入されている。さらに、バイアル瓶３３には流路部２３の他端と共に、流路部２４の一端が挿入され、流路部２４の他端はマザーボトル１０の内部に挿入されている。第一実施形態では、生理食塩水用流路２１及び流路部２２から流路部２４が流路チューブ２０を構成する。
【００１９】
流路チューブ２０は、例えば、ポリイミド樹脂、あるいはフッ素樹脂やシリコーン樹脂等を材料にする小径の細管である。このような流路チューブ２０は、放射性薬剤３との間に生じる摩擦が小さくて、内面に放射性薬剤３が残り難く、放射性薬剤３を効率的に移送することができる。
【００２０】
さらに、第一実施形態の移送装置１は、放射性薬剤３の移送方向の最上流に位置するバイアル瓶３１の内部に、複数のバイアル瓶３１、３２、３３を洗浄する洗浄用液剤を注入する洗浄用液剤注入部を備えることができる。図２に示す移送装置１では、洗浄用の洗浄用液剤に生理食塩水を用いることができる。生理食塩水は、三方活栓８を切り換えてシリンジ５と生理食塩水用流路２１を連通させることによってバイアル瓶３１に供給される。第一実施形態では、生理食塩水用流路２１及びシリンジ５が洗浄用液剤注入部を構成する。なお、生理食塩水としては、例えば、１０μｍｏｌのマンニトール生理食塩水やエタノール生理食塩水、あるいはグルコース生理食塩水を用いることが、ＲＣＰ（Radio Chemical Purity：放射化学的純度）低下防止の観点から好ましい。
三方活栓８の切換は、シリンジ５とベントフィルタ（無菌エアフィルタ）９との間で行われる。ベントフィルタ９の三方活栓８と反対の側（以下、「ベント側」とも記す）は大気圧の環境下にある。
【００２１】
上記構成により、第一実施形態は、マザーボトル１０の内部を真空ポンプ４により減圧することによってバイアル瓶３３、３２、３１の順で放射性薬剤３をマザーボトル１０の内部に移送することができる。また、上記構成によれば、生理食塩水用流路２１を介して生理食塩水がバイアル瓶３１の内部に供給することにより、生理食塩水を圧力差によりバイアル瓶３１、３２、３３の順でマザーボトル１０の内部に移送することができる。
【００２２】
このような第一実施形態は、流路チューブ２０によりバイアル瓶３１からマザーボトル１０を直列に接続しているので、バイアル瓶３１からマザーボトル１０までの間の流路を短くし、また、分岐部分等の放射性薬剤３が溜まり易い箇所をなくすことができる。このような第一実施形態は、バイアル瓶３１等に収容されている放射性薬剤３がマザーボトル１０に移送される過程で生じるロスを少なくすることができる。
さらに、第一実施形態は、流路チューブ２０内に放射性薬剤３が残ったとしても、残った放射性薬剤３を生理食塩水と共にマザーボトル１０内に流し込むことができる。このような第一実施形態は、マザーボトル１０への放射性薬剤３の回収効率をいっそう高めることができる。
【００２３】
バイアル瓶３１、３２、３３は、いずれも蓋体３１ａ、３２ａ、３３ａによりそれぞれ内部が密封されていて、蓋体３１ａ、３２ａ、３３ａに針体が穿刺されて開封される。第一実施形態の流路部２２、２３は、バイアル瓶３１、３２、３３の内部を密封している蓋体３１ａ、３２ａ、３３ａに穿刺される導出針体６２、６４及び供給針体６３、６５と接続されている。供給針体６３、６５は、バイアル瓶３２、３３に放射性薬剤３の移送方向の上流側から放射性薬剤３を供給するものである。また、導出針体６２、６４、６６は、バイアル瓶３１、３２、３３から下流側に放射性薬剤３を導出するものである。
【００２４】
さらに、移送装置１は、導出針体６２、６４、６６を蓋体３１ａ、３２ａ、３３ａに向かって上方からバイアル瓶３１、３２、３３の内部にまで移動させる針体駆動部であるドライバ４２及びモータ４４（図３）を備えている。
より具体的には、流路部２２の一端には導出針体６２、他端には供給針体６３が設けられている。流路部２３の一端には導出針体６４、他端には供給針体６５が設けられている。さらに、移送装置１では、生理食塩水用流路２１の先端には、生理食塩水用の針体６１が設けられている。また、流路部２４の一端には導出針体６６が設けられ、他端には供給針体６７が設けられている。供給針体６７は、バイアル瓶３３から放射性薬剤３をマザーボトル１０に供給するための針体である。マザーボトル１０に挿入されているバキュームチューブ１０２に設けられた針体６８は、真空ポンプ４の図示しない排気路にマザーボトル１０を接続し、マザーボトル１０内を減圧することに用いられる。
【００２５】
上記構成によれば、針体６１、導出針体６２、６４、６６及び供給針体６３、６５、６７を図示しないモータにより下降させて蓋体３１ａ等に穿刺し、その針先を含む部分をバイアル瓶３１等の内部にまで挿入することができる。なお、第一実施形態では、以降、針体６１、導出針体６２、６４、６６及び供給針体６３、６５を指す場合、これを総称して単に「針体６１から導出針体６６」とも記す。
このように、移送装置１は、遮蔽壁７０内で自動的に針体６１から導出針体６６を駆動させることができるので、移送装置１の操作者が放射性薬剤３に近づいて放射線による汚染または暴露を受けることがない。また、第一実施形態は、導出針体６２、６４、６６をバイアル瓶３１等における放射性薬剤３が最も深い位置に下降させて放射性薬剤３の全量を抽出するようにしている。上記構成によれば、導出針体６２、６４、６６の下降位置を高い精度で定めることができるので、バイアル瓶３１等の内部の放射性薬剤３の残量を最小限に止めることができる。
【００２６】
移送装置１は、バイアル瓶３１、３２、３３の上方に、それぞれ放射性薬剤３の放射線量を検出する放射線検出器５１、５２、５３を備えている。放射線検出器５１、５２、５３は、それぞれ検出した放射線量を示す放射線検出信号Ｓｒを出力している。放射線検出信号Ｓｒの出力は、例えば一定の時間毎に周期的に行われるものであってもよい。また、操作者等の指示により行われるものであってもよい。
【００２７】
図３は、移送装置１の針体６１から導出針体６６までの動作を制御する構成を説明するための図である。
図３に示すように、針体６１から導出針体６６の動作は、例えば、スイッチ４１、モータ４４及びモータ４４を制御するドライバ４２によって制御することができる。スイッチ４１は、針体６１から導出針体６６の動作タイミングを示す信号を出力可能なスイッチであればどのようなものであってもよく、例えば、機械的なスイッチやタッチパネル上に形成されたアイコン等であってもよい。図３に示すドライバ４２は、タイマ４３を有している。また、ドライバ４２には、放射線検出器５１、５２、５３のそれぞれから放射線検出信号Ｓｒが入力される。
以下、図３に示す構成の動作を、放射性薬剤３の抽出時と、バイアル瓶３１、３２、３３の洗浄時とに分けて説明する。
【００２８】
［放射性薬剤の抽出時］
ドライバ４２は、既知の放射性薬剤３の液量から放射性薬剤３を全量抽出するために必要な回転数を示すモータ制御信号Ｓｍをモータ４４に出力する。モータ４４の回転数は、導出針体等の下降高さを決定する。第一実施形態は、放射性薬剤３の全量をバイアル瓶３１、３２、３３から抽出するために、導出針体６２、６４、６６を放射性薬剤３の最も深い位置に下降させる。このとき、ドライバ４２は、導出針体６２、６４、６６の下方の先端がバイアル瓶３１、３２、３３の底に当接する、あるいは当接後にわずかに撓る位置まで導出針体６２、６４、６６を下降させる。
【００２９】
導出針体６２、６４、６６の下降後、真空ポンプ４によりバキュームチューブ１０２からマザーボトル１０内部の空気が排気されてマザーボトル１０の内部が減圧状態になる。このとき、導出針体６６によりバイアル瓶３３の内部の放射性薬剤３がマザーボトル１０の側に移送される。また、バイアル瓶３２の内部の放射性薬剤３は、導出針体６４、６６及び供給針体６５、６７によりバイアル瓶３３を通過してマザーボトル１０に移送される。バイアル瓶３１の内部の放射性薬剤３は、導出針体６２、６４、６６、供給針体６３、６５、６７によりバイアル瓶３２、３３を通過してマザーボトル１０に移送される。このような放射性薬剤３の移送は、略同時に行われる。
【００３０】
なお、図２に示す移送装置１においても、移送前に放射性薬剤３がバイアル瓶３１、３２、３３の全てに収容されていて、三つのバイアル瓶に収容されている放射性薬剤３を順次マザーボトル１０に移送することに限定されず、一つまたは二つのバイアル瓶に収容されている放射性薬剤３をマザーボトル１０に移送することができる。例えば、三つのバイアルのうち、二つのバイアルに放射性薬剤が収容されている場合は、一つのバイアル瓶を空の無菌バイアルとする。そして、上記の全てのバイアル瓶に放射性薬剤３が収容されている場合と同様に移送装置１を動作させることによって二つのバイアル瓶のみからマザーボトル１０に放射性薬剤３を移送することができる。
また、第一実施形態の移送装置１は、無菌のバイアル瓶を用意せず、次のようにしてバイアル瓶３１、３２、３３のいずれか二つから放射性薬剤を抽出することができる。例えば、移送装置１では、針体６１と導出針体６２とを取り外して生理食塩水用流路２１と流路部２２とをバイパスすることによってバイアル瓶３１を省くことができる。また、移送装置１は、供給針体６３と導出針体６４とを取り外して流路部２２と流路部２３とをバイパスすることによってバイアル瓶３２を省くことができる。また、移送装置１は、供給針体６５と導出針体６６とを取り外して流路部２３と流路部２４とをバイパスすることによってバイアル瓶３３を省くことができる。
【００３１】
さらに、移送装置１は、バイアル瓶３１、３２、３３のいずれか一つから放射性薬剤を抽出する場合、二つのバイアル瓶に代えて二つの無菌のバイアル瓶を用意する。そして、上記した全てのバイアル瓶に放射性薬剤３が収容されている場合と同様に移送装置１を動作させることによって一つのバイアル瓶のみからマザーボトル１０に放射性薬剤３を移送することができる。
また、第一実施形態の移送装置１は、無菌のバイアル瓶を用意せず、次のようにしてバイアル瓶３１、３２、３３のいずれか一つのみから放射性薬剤３をマザーボトル１０に放射性薬剤３を移送することができる。例えば、移送装置１では、針体６１と導出針体６４とを取り外して生理食塩水用流路２１と流路部２３とをバイパスすることによってバイアル瓶３１、３２を省くことができる。また、供給針体６３と導出針体６６とを取り外して流路部２２と流路部２４とをバイパスすることによってバイアル瓶３２、３３を省くことができる。また、移送装置１は、生理食塩水用流路２１と流路部２２とをバイパスし、かつ、流路部２３と流路部２４とをバイパスすることによってバイアル瓶３１、３３を省くことができる。
以上のように、第一実施形態の移送装置１は、複数のバイアル瓶を保持可能な第一載置台を有し、このうちの任意のバイアル瓶から放射性薬剤を形状または大きさの異なる容器に移送することができる。このような第一実施形態によれば、以降行われる分注や投与の装置に合わせて放射性薬剤を所望の容器に移し替えることができる。
【００３２】
［バイアル瓶の洗浄時］
上記の抽出に続いて、第一実施形態は、生理食塩水を使ってバイアル瓶３１、３２、３３を洗浄し、バイアル瓶３１、３２、３３及び流路チューブ２０等に残った放射性薬剤３を生理食塩水と共にマザーボトル１０に移送する。
この動作においては、ドライバ４２がモータ４４を駆動して各バイアル瓶内において導出針体６２、６４、６６を上昇させる。なお、ドライバ４２が導出針体６２、６４、６６を上昇させるタイミングは、操作者がスイッチ４１を操作して指示するものであってもよいし、ドライバ４２が放射性薬剤の抽出開始からタイマ４３による計時を開始し、計時時間が予め設定されている時間に達したときであってもよい。
【００３３】
次に、手動、または自動制御によって三方活栓８がシリンジ５の側に切り換えられる。生理食塩水は、シリンジ５から生理食塩水用流路２１に流れ込み、針体６１を通してバイアル瓶３１に供給される。バイアル瓶３１に供給された生理食塩水は、順次バイアル瓶３２、３３に移送され、バイアル瓶３１、３２、３３の内面に接触して残留している放射性薬剤３を取り込むようになる。つまり、バイアル瓶３１、３２、３３の洗浄では、生理食塩水がバイアル瓶３１、３２、３３の内面の放射性薬剤３を取り込むための時間が必要になる。
しかし、各バイアル瓶において放射性薬剤３の供給と導出が略同時に起きるとすると、生理食塩水は各バイアル瓶の内面と充分に接触しないままマザーボトル１０に移送されることが考えられる。このような場合、生理食塩水によるバイアル瓶３１、３２、３３の洗浄の効果は低下する。
【００３４】
充分な洗浄の効果を得るため、第一実施形態は、前述のように洗浄にあたって予め導出針体６２、６４、６６を上昇させている。この後、ドライバ４２は、放射性薬剤３の移送方向（矢線Ｔで示す）の最上流のバイアル瓶３１からバイアル瓶３１よりも下流に位置するバイアル瓶３２、３３に向かい、時間間隔を空けて順番に導出針体６２、６４、６６をバイアル瓶の底面に向けて移動（下降）させている。なお、ドライバ４２が導出針体６２、６４、６６を順番に下降させるタイミングは、操作者がスイッチ４１を操作して指示するものであってもよいし、ドライバ４２が例えば直前に行った下降動作からタイマ４３による計時を開始し、計時時間が予め設定されている時間に達したときであってもよい。
このようにすることにより、第一実施形態は、バイアル瓶３１、３２、３３において生理食塩水が供給されてから所定の時間が経過するまでの間、生理食塩水及び放射性薬剤３の導出が開始されないようにすることができる。このため、第一実施形態は、バイアル瓶３１、３２、３３内において、生理食塩水が内面に残留している放射性薬剤３を取り込む充分な時間を確保することができる。
【００３５】
より詳細には、ドライバ４２及びモータ４４は、バイアル瓶３２において、少なくとも供給針体６３により生理食塩水が供給されている間、導出針体６４の放射性薬剤３の液面に向く先端を液面より上方に位置させる。また、ドライバ４２及びモータ４４は、バイアル瓶３３において、少なくとも供給針体６５により生理食塩水が供給されている間、導出針体６６の放射性薬剤３の液面に向く先端を液面より上方に位置させる。さらに、第一実施形態では、ドライバ４２及びモータ４４が、バイアル瓶３１において、針体６１により生理食塩水が供給されている間、導出針体６２の放射性薬剤３の液面に向く先端を液面より上方に位置させている。
【００３６】
図４（ａ）、図４（ｂ）は、バイアル瓶３２を例に挙げて上記動作を説明するための図である。図４（ａ）は、バイアル瓶３２において供給針体６３により生理食塩水６が供給されている状態を示している。図４（ｂ）は、生理食塩水６の供給完了後、導出針体６４により放射性薬剤３を含む生理食塩水がマザーボトル１０の側に導出されている状態を示している。
図４（ａ）に示すように、第一実施形態では、ドライバ４２及びモータ４４が、生理食塩水６が供給されている間、導出針体６４の先端６４１を生理食塩水６の液面６ａよりも上方に固定し、生理食塩水６の導出のタイミングまで待機させている。ドライバ４２及びモータ４４は、生理食塩水６の導出のタイミングを検出すると、バイアル瓶３２における生理食塩水６の深さの最も深い箇所に導出針体６４の先端６４１を下降させる。導出針体６４は、生理食塩水６を吸入する。導出針体６４によって吸入された生理食塩水６は、供給針体６５によりバイアル瓶３３内に供給される。
以上の動作において、図４（ａ）、図４（ｂ）では、供給針体６３を移動させずに導出針体６４を下降させて生理食塩水６の導出を行っている。
【００３７】
また、上記動作の過程において、ドライバ４２及びモータ４４は、バイアル瓶３１、３２、３３に収容されている放射性薬剤の全量がマザーボトル１０へ移送される間、針体６１から導出針体６６のバイアル瓶３１、３２、３３の内部に移動している部分を第一容器の内部に留めている。すなわち、第一実施形態では、上記のバイアル瓶３１等における放射性薬剤３の移送から洗浄までの間、針体６１から導出針体６６の一度バイアル瓶３１等に挿入された部分がバイアル瓶３１等の外部に出ることがない。
このような第一実施形態の移送装置１は、所望の人数分の放射性薬剤が収容された放射性薬剤バイアルを、導出針体や供給針体及び流路チューブを交換することなく効率的に容易に生成することができ、医療従事者の放射線被曝の機会を低減することができる。
また、第一実施形態の移送装置１は、複数の容器に収容された放射性薬剤を一つの容器に収集することができるので、所望の人数分の放射性薬剤を一つの容器に準備することができ、投与装置を取り扱う医療従事者の作業効率を向上させ、また、放射線被曝の機会を低減することができる。
【００３８】
以上説明したように、移送装置１は、放射性薬剤３の移送の後、流路チューブ２０及びバイアル瓶３１、３２、３３に残留している放射性薬剤３をも生理食塩水６と共にマザーボトル１０に回収することができる。このような第一実施形態は、デリバリバイアルからマルチドーズに好適なより大容量のバイアルを生成し、マルチドーズを普及させることに貢献することができる。放射性薬剤３と共に生理食塩水６が回収されることにより、マザーボトル１０における放射性薬剤３の濃度は希釈される。
【００３９】
第一実施形態では、放射線検出器５１、５２、５３のそれぞれからドライバ４２に放射線検出信号Ｓｒが入力されている。ドライバ４２は、例えばマイクロコンピュータ等の小型の演算部を備えていて、複数の放射線検出信号Ｓｒから放射線の総量を算出するようにしてもよい。算出された総量に基づいて、ドライバ４２は、マザーボトル１０に回収された放射性薬剤３の総放射線量を求めることができる。また、バイアル瓶３１に供給された生理食塩水６の量は既知である。このことから、ドライバ４２は、マザーボトル１０内にある液の放射性薬剤３の濃度を算出することができる。マザーボトル１０における放射性薬剤３の濃度は、放射性薬剤３を投与する際の投与液量を算出するために用いられる。第一実施形態は、ドライバ４２が算出したマザーボトル１０における放射性薬剤３の濃度を、記録または出力して投与時に利用するようにしてもよい。
【００４０】
また、第一実施形態は、ドライバ４２が、放射線検出器５１、５２、５３から入力された放射線検出信号Ｓｒの各々から、バイアル瓶３１、３２、３３の各々における放射性薬剤３の放射線量を得ることができる。さらに、第一実施形態は、ドライバ４２が、放射性薬剤３の回収後の放射線検出信号Ｓｒから放射性薬剤３がバイアル瓶３１等から適正に抽出された否かを確認するようにしてもよい。
【００４１】
また、以上説明した移送装置１は、使用後、または未使用のバイアル瓶の残液を廃棄する場合にも使用することが可能である。移送装置１を残液の廃棄に使用する場合、移送装置１は、上記と同様に動作する。ただし、このとき、移送装置１においては、それぞれ残液が収容された状態のバイアル瓶３１、３２、３３を精製水等により洗浄し、残液をマザーボトル１０内に移送する。マザーボトル１０は、廃棄用の残液が収容される「廃棄用マザーボトル」として機能する。
上記構成によれば、放射性の薬剤（ＲＩ標識化合物）に使用される製品バイアルの残液処理及びクリーン化が可能である。
なお、使用後の移送装置１、または未使用のバイアル瓶の残液を廃棄する場合のベントは、移送装置１またはバイアル瓶内の圧力を降下させる機構であればよく、ベントフィルタ９のようにフィルタを使って圧力調整をするものに限定されるものではない。また、以上説明した移送装置１は、複数の第一載置台を備える構成に限定されるものではなく、一つの第一載置台を備えるものであってもよい。
【００４２】
（変形例）
図５は、第一実施形態の変形例を説明するための図であって、一つの第一載置台を備える移送装置２を示している。なお、図５において、図２と共通する構成については共通の符号を付して示し、その説明を一部略すものとする。
図５に示す移送装置２は、第一載置台７２、７３がない点で図２に示す移送装置１と相違する。移送装置２では、流路部２２が図２に示す流路部２４と同様に遮蔽壁７０から遮蔽壁８０を通過し、供給針体６７がマザーボトル１０に穿刺される。このような移送装置２によれば、一つのバイアル瓶３１から所望の形状及び大きさのマザーボトル１０に放射性薬剤３を移送することができる。
【００４３】
また、第一載置台７１のみを備える移送装置２は、第一載置台７１に複数のバイアル瓶３１、３２、３３を交互に載置して使用するものであってもよい。移送装置２をこのように使用する場合、一つのバイアル瓶３１に収容されている放射性薬剤の全量をマザーボトル１０に移送させた後、針体６１、導出針体６２を上昇させてバイアル瓶３１から引き抜き、空のバイアル瓶３１を第一載置台７１から取り除く。次に、移送装置２では、放射性薬剤３が収容された新たなバイアル瓶３２を第一載置台７１に設置し、針体６１、導出針体６２を下降させて新たなバイアル瓶３２に穿刺する。そして、バイアル瓶３２から放射性薬剤３を抽出し、マザーボトル１０に移送する。
【００４４】
さらに、第一実施形態では、針体６１、導出針体６２を上昇させてから引き抜いた上で第一載置台７１上のバイアル瓶３２をバイアル瓶３３に交換し、針体６１、導出針体６２を下降させてバイアル瓶３２に穿刺する。そして、導出針体６２で放射性薬剤３を抽出し、流路部２２から供給針体６７によりマザーボトル１０に移送する。
上記の動作により、第一実施形態は、第一載置台７１のみを備え、第一載置台７２、７３を備えていない移送装置２においても、複数のバイアル瓶３１、３２、３３に収容された放射性薬剤を移送してマザーボトル１０にまとめることができる。
また、移送装置２においても、一つのバイアル瓶３１に収容されている放射性薬剤の全量をマザーボトル１０に移送させた後、シリンジ５を用いて洗浄用液剤をバイアル瓶３１に注入し、バイアル瓶３１及び流路部２２を洗浄した後、バイアル瓶３１をバイアル瓶３２に取り換えてもよい。このような場合、複数本分のバイアル瓶を洗浄するのに十分な量の液剤をシリンジ５に充填しておくことによって、シリンジ５のプランジャーをバネ等によって移動及び停止させることによりシリンジ５を取り外して液剤を追加補充することなく連続してバイアル瓶３１、３２、３３を洗浄することができる。
【００４５】
［第二実施形態］
次に、本発明の第二実施形態の移送装置１を説明する。
図６は、第二実施形態の移送装置７を説明するための図である。第二実施形態の移送装置７は、第一実施形態の移送装置１及び移送装置２において、真空ポンプ４が移送機構として機能していたのに対し、図６中に示すシリンジ９５が移送機構として機能して、放射性薬剤３を間接的に移送する点で第一実施形態と相違する。また、第二実施形態は、シリンジ９５がバイアル瓶３１を直接減圧することによって放射性薬剤３を移送する点においても第一実施形態と相違する。
シリンジ９５の前後には、それぞれ三方活栓９５３、９５４が設けられている。また、第二実施形態では、真空ポンプ４に接続されていた針体６８と接続するチューブ１０３が図示しないベントフィルタに接続されている。図６に示す構成では、三方活栓９５３、９５４のどちらかに投与ラインを接続することが可能である。また、投与ラインにはバイアル洗浄のための生理食塩水用のシリンジ（図示せず）を備えることができる。この場合、不図示のシリンジを加圧することによってバイアル瓶３１内に生理食塩水が液送される。
このような移送装置７は、複数または単数のバイアル瓶に収容されている放射性薬剤３をマザーボトル１０に収容するものである。
【００４６】
シリンジ９５は、流路部２２における導出針体６２と供給針体６７との間に設けられていて、そのシリンジピストン９５１がモータ及びドライバによって駆動される。駆動は、シリンジ筒９５２の長さ方向にシリンジピストン９５１が並進運動するように行われる。ここでは、シリンジピストン９５１がシリンジ筒９５２の内部に入り込むように移動することを「前進」、シリンジ筒９５２から出るように移動することを「後退」と記す。第二実施形態では、図３に示す針体６１から導出針体６６を制御するモータ４４及びドライバ４２がシリンジ９５の駆動を行うものとする。ただし、第二実施形態は、このような構成に限定されるものでなく、シリンジ９５を針体６１等とは別個の駆動部が駆動するようにしてもよい。
【００４７】
ドライバ４２は、モータ４４に対してモータ制御信号Ｓｍを出力し、シリンジピストン９５１を前進または後退させる。シリンジ９５は、シリンジピストン９５１が後退することによって放射性薬剤３を吸引してシリンジ筒９５２に収容し、前進することによってシリンジ筒９５２内の放射性薬剤３をシリンジ筒９５２の内部から外部に吐出する。第二実施形態において、ドライバ４２及びモータ４４は、シリンジ９５を後退させてバイアル瓶３１に収容されている放射性薬剤３の全量を吸引する。また、ドライバ４２及びモータ４４は、吸引された放射性薬剤をマザーボトル１０に吐出するように動作する。第二実施形態では、ドライバ４２及びモータ４４が吸引機構及び吐出機構として機能する。
【００４８】
ただし、第二実施形態は、上記のように、シリンジ９５をドライバ４２及びモータ４４によって駆動することに限定されるものではない。シリンジ９５のシリンジピストン９５１は、移送装置７の操作者が手動で行うものであってもよく、このような場合、シリンジピストン９５１が吸引機構及び吐出機構として機能する。
【００４９】
上記の動作において、三方活栓９５３は、放射性薬剤３の吸引時に流路部２２からシリンジ９５に向かう流路を開放し、吐出時にはこの流路を閉塞する。一方、三方活栓９５４は、放射性薬剤の吸引時にはシリンジ９５から供給針体６７に向かう流路を閉塞し、吐出時にはこの流路を開放する。このようにすることにより、移送装置７は、バイアル瓶３１内の放射性薬剤３の全量をシリンジ筒９５２内に収容し、シリンジ筒９５２に収容された放射性薬剤３の全量をマザーボトル１０に吐出することができる。
【００５０】
放射性薬剤３の吐出後、第二実施形態では、不図示のシリンジからバイアル瓶３１に２ｍｌから３ｍｌの生理食塩水が供給される。バイアル瓶３１に供給された生理食塩水は、バイアル瓶３１の内面に接触して残留している放射性薬剤３を取り込む。ドライバ４２及びモータ４４は、シリンジピストン９５１を後退させてバイアル瓶３１内の放射性薬剤３を取り込んだ生理食塩水を吸引する。そして、この生理食塩水をマザーボトル１０に吐出する。生理食塩水の吸引、吐出にあたっても、放射性薬剤の吸引、吐出と同様に、三方活栓９５３によって流路部２２からシリンジピストン９５１に向かう流路が開閉され、三方活栓９５４によってシリンジピストン９５１から供給針体６７に向かう流路が開閉される。以上の動作により、第二実施形態では、吸引された生理食塩水が全量シリンジ筒９５２またはマザーボトル１０に収容されるようにしている。
【００５１】
さらに、第二実施形態では、第一載置台７１にあるバイアル瓶３１を他のバイアル瓶と交換し、上記の放射性薬剤３または生理食塩水の吸引、吐出を繰り返すことができる。このようにすれば、マザーボトル１０に複数のバイアル分の放射性薬剤３を収容することが可能になる。まお、バイアル瓶３１の交換は、ドライバ４２及びモータ４４によって針体６１、導出針体６２がバイアル瓶３１から抜き取られた後に行われる。ドライバ４２及びモータ４４は、交換された他のバイアル瓶に対する針体６１、導出針体６２の穿刺をも行うものである。
以上説明した第二実施形態によれば、バイアル瓶３１に収容されている放射性薬剤３を任意のマザーボトル１０に移送することができる。また、バイアル瓶３１の他、他のバイアル瓶に収容されている放射性薬剤３をマザーボトル１０に収集することができる。
【００５２】
上記実施形態は、以下の技術思想を包含するものである。
（１）第一容器を保持可能な第一保持部と、前記第一容器と形状または容量の異なる第二容器を保持可能な第二保持部と、前記第二保持部に前記第二容器が保持されている場合、少なくとも前記第一容器の内部を減圧することによって前記第一容器に収容されている放射性薬剤の全量を直接、または間接的に前記第二容器に移送するための移送機構と、を備える、放射性薬剤の移送装置。
（２）複数の第一容器を保持可能な第一保持部と、前記第一容器と形状または容量の異なる第二容器を保持可能な第二保持部と、前記第二保持部に前記第二容器が保持されている場合、少なくとも前記第二容器の内部を減圧することによって複数の前記第一容器の少なくとも一つに収容されている放射性薬剤の全量を前記第二容器に移送するための移送機構部と、を備える、放射性薬剤の移送装置。
（３）複数の前記第一容器のそれぞれを直列に接続する第一輸液管と、当該第一輸液管に接続された複数の前記第一容器のうち、前記放射性薬剤の移送方向に沿う最下流に位置する前記第一容器と前記第二容器とを接続する第二輸液管と、をさらに備える、（１）または（２）の放射性薬剤の移送装置。
（４）前記第一輸液管は、前記第一容器の内部を密封している蓋体に穿刺される針体と接続され、前記針体を前記蓋体に向かって上方から前記第一容器の内部にまで移動させる針体駆動部をさらに備える、（３）の放射性薬剤の移送装置。
（５）前記針体駆動部は、前記第一容器に収容されている前記放射性薬剤の全量が前記第二容器へ移送される間、前記針体の前記第一容器の内部に移動している部分を前記第一容器の内部に留める、（４）の放射性薬剤の移送装置。
（６）前記放射性薬剤の移送方向の最上流に位置する前記第一容器の内部に、複数の前記第一容器を洗浄する洗浄用液剤を注入する洗浄用液剤注入部をさらに備える、（４）または（５）の放射性薬剤の移送装置。
（７）前記針体は、前記第一容器に前記放射性薬剤の移送方向の上流側から前記放射性薬剤を供給する供給針体と、前記第一容器から前記移送方向の下流側に前記放射性薬剤を導出する導出針体と、を含み、前記洗浄用液剤の注入後、前記針体駆動部は、前記放射性薬剤の移送方向の最上流の前記第一容器から前記最上流よりも下流に位置する前記第一容器に向かい、時間間隔を空けて順番に前記導出針体を前記第一容器の底面に向けて移動させる、（６）の放射性薬剤の移送装置。
（８）前記供給針体は、前記第一容器に前記放射性薬剤の移送方向の上流側から前記洗浄用液剤を供給し、前記導出針体は、前記第一容器から前記移送方向の下流側に前記洗浄用液剤を導出し、前記針体駆動部は、少なくとも前記供給針体により前記洗浄用液剤が供給されている間、前記導出針体の前記洗浄用液剤の液面に向く先端を前記液面より上方に位置させる、（７）の放射性薬剤の移送装置。
（９）複数の第一容器を保持可能な第一保持部と、前記第一容器と形状または容量の異なる第二容器を保持可能な第二保持部と、を備える放射性薬剤の移送装置において実行される放射性薬剤の移送方法であって、前記第二保持部に前記第二容器が保持されている場合、少なくとも前記第二容器の内部を減圧することによって複数の前記第一容器の少なくとも一つに収容されている放射性薬剤の全量を前記第二容器に移送する移送工程を含む、放射性薬剤の移送方法。
（１０）第一容器を保持可能な第一保持部と、前記第一容器と形状または容量の異なる第二容器を保持可能な第二保持部と、を備える放射性薬剤の移送装置において実行される放射性薬剤の移送方法であって、前記第二保持部に前記第二容器が保持されている場合、少なくとも前記第一容器の内部を減圧することによって前記第一容器に収容されている放射性薬剤の全量を、直接または間接的に前記第二容器に移送するための移送工程を含む、放射性薬剤の移送方法。
【符号の説明】
【００５３】
１、２、７・・・移送装置
３・・・放射性薬剤
４・・・真空ポンプ
５、９５・・・シリンジ
６・・・生理食塩水
６ａ・・・液面
８、９５３、９５４・・・三方活栓
９・・・ベントフィルタ
１０・・・マザーボトル
２０・・・流路チューブ
２０ａ・・・支流路
２１・・・生理食塩水用流路
２２、２３、２４・・・流路部
３１、３２、３３・・・バイアル瓶
３１ａ、３２ａ、３３ａ・・・蓋体
４１・・・スイッチ
４２・・・ドライバ
４３・・・タイマ
４４・・・モータ
５１、５２、５３・・・放射線検出器
６１、６８・・・針体
６２、６４、６６・・・導出針体
６３、６５、６７・・・供給針体
７０、８０・・・遮蔽壁
７１、７２、７３・・・第一載置台
７４・・・第二載置台
７５・・・床面
７６・・・周面
７７・・・上面
８１・・・孔
１０１・・・ゴム栓
１０２・・・バキュームチューブ
３１１、３２１、３３１・・・遮蔽容器
６４１・・・先端
９５１・・・シリンジピストン
９５２・・・シリンジ筒
Ｓｍ・・・モータ制御信号
Ｓｒ・・・放射線検出信号
【図１】
2020146456.tif 000003
【図２】
2020146456.tif 000004
【図３】
2020146456.tif 000005
【図４】
2020146456.tif 000006
【図５】
2020146456.tif 000007
【図６】
2020146456.tif 000008